(57)【要約】      （修正有）【課題】立体化が容易で簡易に組み立てることができると共に、立体表示の自由度が高い新たな立体表示体を提供する。【解決手段】折り込みラインＬ１，Ｌ２が形成されかつ表面に所定表示３，４が施された表示シート２を、前記折り込みラインＬ１，Ｌ２に沿って立体化するように折り込み、保持基材１の少なくとも片面に立体的に固着した折り込みラインは、ミシン目、又は、折り罫であるのが好ましい。また、表示シートは、所定表示を施す前または施した後に折り込みラインを形成するのが好ましい。更に、所定表示は、文字，図形，記号，絵，写真のいずれか又はそれらの組合せによる表示が可能である。【選択図】図１
0003142473.tif 000002
【実用新案登録請求の範囲】
【請求項１】
折り込みラインが形成されかつ表面に所定表示が施された表示シートを、前記折り込みラインに沿って立体化するように折り込み、保持基材の少なくとも片面に立体的に固着したことを特徴とする立体表示体。
【請求項２】
折り込みラインは、ミシン目、又は、折り罫である請求項１の立体表示体。
【請求項３】
表示シートは、所定表示を施す前または施した後に折り込みラインを形成した請求項１又は２の立体表示体。
【請求項４】
所定表示は、文字，図形，記号，絵，写真などのいずれか又はそれらの組合せによる表示である請求項１〜３のいずれかの立体表示体。
【請求項５】
所定表示は、レーザープリンタやインクジェットプリンタなどによる無版印刷、若しくは、オフセット印刷機などによる有版印刷により表示する請求項１〜４のいずれかの立体表示体。
【考案の詳細な説明】
【技術分野】
【０００１】
本考案は、小売店やスーパーなどにおける宣伝広告、遊技場施設などにおけるお知らせ、各種公演会や演劇会などにおける会場案内、或いは、試験会場の案内や各種祝賀会の案内などに好適に用いることができる、簡易に組み立て可能な立体表示体に関する。
【背景技術】
【０００２】
従来から、スーパーの店頭や商品陳列棚などにおいて、表示内容を強力にアピールし顧客の購買意欲を喚起して商品の販売を促進するための立体表示板や立体ポスターなどが提案されている。例えば、特許文献１には、平板状のシートから突出しアイキャツチー効果を高める立体表示板を具えた手作りの立体ポスターシートが提案されている。
【０００３】
また、特許文献２には、金型を使い合成樹脂製シートをブロー成形により立体化した従来の広告用立体ディスプレーに替え、金型を使用しないで少なくとも一側の面に印刷が施されたシートに切り込みを設け、切り込みが設けられた何れかの側の部片を短縮することにより切り込みの他側の部片を湾曲或は曲折させて立体化するようにした広告用立体ディスプレーが提案されている。
【０００４】
更に、特許文献３には、表示内容を強力にアピールすることができるとともに、自由な位置に所望の角度等で容易に設定できる立体表示板、具体的には、基板を２つ折りして立体化すると共に、止着手段による止着位置により２つ折りした基板の角度を調節する構造の立体表示板が提案されている。
【０００５】
更には、特許文献４には、円弧柱状のＰＯＰ表示体とこのＰＯＰ表示体を支持する支持体とからなり、店舗等の現場において組み付けを極めて容易に行うことができるＰＯＰディスプレイが提案されている。
【０００６】
また、特許文献５には、背面板とこの背面板の前面に立体的に取付けられた所定表示が施された透明板とからなる立体ステッカーが提案されている。
【０００７】
しかしながら、特許文献１で提案されている立体ポスターシートは、一枚のシートからポスター板と立体表示板を切り離し、立体表示板の係止突起をポスター板の係止切込みに差し込み、立体表示板を湾曲させて固定する構造のもので、切り離しと差し込みに手間がかかるという問題があった。また、立体表示板の係止突起とポスター板の係止切込みの位置を対応させる必要があるため、立体表示の形状が予め特定されてしまうという問題があった。
【０００８】
また、特許文献２で提案されている広告用立体ディスプレーは、立体化するためにシートに切り込みを設けたり、短縮可能部片を短縮するなどの必要があり、シートの構造が複雑になってしまう上に、立体化に手間がかかり、しかも、シートを形成する段階で立体表示の形状を予め特定する必要があるという問題があった。
【０００９】
更に、特許文献３で提案されている立体表示板は、基板を２つ折りしなければ立体化することができず、また、立体表示の位置が２つ折りしたときの基板の折り曲げ部に限定されてしまうという問題があった。
【００１０】
更には、特許文献４で提案されているＰＯＰディスプレイは、円弧柱状のＰＯＰ表示体を形成する構造のみならず、ＰＯＰ表示体を立設した状態で支持するための支持体の構造も複雑であるため、その製作に手間とコストがかかり過ぎるという問題があった。
【００１１】
また、特許文献５で提案されている立体ステッカーは、背面板の左右側の帯状片により形成された溝に、透明板を前面側に湾曲させた状態でその左右側の片を差し込む構成であるため立体表示の形態が限定されてしまい、また、背面板と透明板にそれぞれ所定表示を施しそれらの表示が組み合わされて一つの表示内容になるため、背面板と透明板の所定の表示の組合せが難しいという問題があった。
【特許文献１】実公平２−１２９２３号公報
【特許文献２】特開２００２−２３６３５号公報
【特許文献３】実開平５−２９０７２号公報
【特許文献４】実用新案登録第３１１５６３３号公報
【特許文献５】実開平３−６７３７６号公報
【考案の開示】
【考案が解決しようとする課題】
【００１２】
本考案は、上記従来の立体表示構造体などにおける問題点に鑑み、立体化が容易で簡易に組み立てることができると共に、立体表示の自由度が高い新たな立体表示体を提供することをその課題とするものである。
【課題を解決するための手段】
【００１３】
上記課題を解決することを目的としてなされた本考案の構成は、折り込みラインが形成されかつ表面に所定表示が施された表示シートを、前記折り込みラインに沿って立体化するように折り込み、保持基材の少なくとも片面に立体的に固着したことを特徴とするものである。
【００１４】
本考案は、上記構成において、折り込みラインは、ミシン目、又は、折り罫であるのが好ましい。また、表示シートは、所定表示を施す前または施した後に折り込みラインを形成するのが好ましい。更に、所定表示は、文字，図形，記号，絵，写真などのいずれか又はそれらの組合せによる表示が可能である。更には、所定表示は、レーザープリンタやインクジェットプリンタなどによる無版印刷、若しくは、オフセット印刷機などによる有版印刷により表示することができる。
【考案の効果】
【００１５】
本考案は、表示シートに、ミシン目または折り罫により折り込みラインを自由に形成することができると共に、その折り込みラインを形成する前、又は後に、身近にあるレーザープリンタやインクジェットプリンタなどにより所望の印刷を容易に行い、折り込みラインに沿って折り込み、保持基材の少なくとも片面に立体的に固着するだけで、保持基材に所望の立体表示をきわめて容易に形成することができるので、顧客の要望、例えば、文字や記号の色彩などの要望に応じた立体の形状を迅速にしかも低コストで形成することができるという従来の立体表示構造体にない格別の効果が得られる。
【考案を実施するための最良の形態】
【００１６】
本考案の実施の形態例について図により説明する。図１は本考案立体表示体の一例の斜視図、図２は本考案立体表示体の他の一例の斜視図、図３は本考案立体表示体の別例の斜視図、図４は本考案立体表示体の他の別の一例の斜視図、図５は本考案立体表示体の別の他の一例の斜視図、図６は本考案立体表示体の別の他の別例の斜視図である。
【実施例】
【００１７】
図１は、本考案の一例の立体表示体Ａを示し、１は、この立体表示体Ａの保持基材、２は、保持基材１の前面に固着された表示シートである。表示シート２には、ここではミシン刃により上，下に２本の平行なミシン目L1，L2が形成されている。また、表示シート２の表面には、ミシン目L2を境に上下２段に分けて無版印刷が施されている。印刷は、ここではスーパーの開店に際してのキャンペーンの案内をアピールするためのものであるが、印刷の内容はキャンペーンの内容により適宜変更することができる。ここでは上段側の印刷３で顧客の注意を喚起し、下段側の印刷４でその内容について説明している。なお、下段側にカラー写真を印刷をすれば、アピール度をより高めることができる。
【００１８】
表示シート２は、ここでは保持基材１と左右の幅は同じで上下の幅が大きいものを使用し、ミシン目L2の下部側の大半とミシン目L1の上部側が保持基材１に固着Kされている。ミシン目L1の上部側は両面テープにより保持基材１に貼着することにより、表示シート２の上部側を前面側に湾曲させて立体化させることができる。また、ミシン目L2の下部側は、接着剤により保持基材１に貼着して固着Ｋすることができる。なお、ミシン目L1の上部側は両面テープではなく、ホッチキス、又は、接着剤により固着Ｋしてもよく、ミシン目L2の下部側も、ホッチキス、又は、両面テープにより固着Ｋしてもよい。
【００１９】
保持基材１には、厚手の紙，ボード板，プラスチック板，金属板，ベニヤや合板等の木製板などを用いることができる。また、表示シート２は、レーザープリンタ，インクジェットプリンタなどによりカラー，モノクロ印刷が可能なシートであればよく、また、オフセット印刷，写真印刷などが可能なシートであれば更に好適である。更に、表示シート２は、ミシン目、又は、折り罫を形成し得るような厚みを有し、折り込みラインに沿って折り込んだとき、立体表示形態が保持されるようなある程度腰が強いものが好ましい。
【００２０】
上記の立体表示体Ａは、キャンペーンの特売場における商品の近くに立て掛けたり、商品陳列棚に係止したりして使用することができる。なお、立体表示体Ａは保持基材１と表示シート２は互いに分離され２枚に重ね合わされた状態でスーパーなどに搬入され、スーパー内において、レーザープリンタ，インクジェットプリンタなどにより表示シート２に所望の印刷がなされた後、立体化させて特売場に設置することができる。従って、そのスーパーでキャンペーンの内容に応じて所望の表示ができるので、きわめて実用価値が高い。なお、折り込みラインは、スーパー内で形成するのは難しい面があるので、立体表示体Ａを納入する業者は、通常は納入先の要望を確認し予め折り込みラインを表示シートに形成した状態で納入することになる。
【００２１】
次に、図２は、本考案の他の一例の立体表示体Ｂを示し、図１に表示した符号と同一の符号は、同一部材を示している。図２において、L3，L4，L5，L6，L7は、それぞれミシン目による折り込みラインであるが、折り罫にしてもよい。なお、表示シート21の左右の幅は、図１と同様、保持基材１と同じで上下の幅が大きいものを使用している。
【００２２】
図２に示した立体表示体Ｂは、折り込みラインL3，L4，L5，L6，L7を折り込んだ後、折り込みラインL3の上部側と折り込みラインL7の下部側、及び、折り込みラインL5に沿って保持基材１に固着Ｋすることにより立体化させることができる。固着Ｋは、図１に示した立体表示体Ａの場合と同様に、ホッチキスや接着剤，両面テープなどにより固着することができる。なお、表示シート21におけるプリンタなどによる所定表示の印刷と折り込みラインL3，L4，L5，L6，L7の形成のタイミングは、図１に示した立体表示体Ａの場合と同様である。
【００２３】
また、立体表示体Ｂでは、表示シート21の折り込みラインL3とL4の間に印刷５を施し、折り込みラインL5とL6の間に別の印刷６を施すことによって、それぞれ知らせたい内容を明瞭にアピールすることができる。勿論、これらの印刷５，６に、文字の替わりに写真や絵、記号などを印刷したり、後から手書きで直接書き込むようにしてもよい。
【００２４】
次に、図３は、本考案の別例の立体表示体Ｃを示し、図１に表示した符号と同一の符号は、同一部材を示している。図３において、L8，L9，L10，L11は、それぞれミシン目による折り込みラインであるが、折り罫にしてもよいことは、図１，２の場合と同様である。また、表示シート22の左右の幅は、図１，図２と同様、保持基材１と同じで上下の幅が大きいものを使用している。
【００２５】
図３に示した立体表示体Ｃは、折り込みラインL8，L9，L10，L11を折り込んだ後、折り込みラインL８の上部側と折り込みラインL11の下部側を保持基材１に固着Ｋすることにより立体化させることができる。この立体表示体Ｃでは、折り込みラインL9，L10のところはここでは保持基材１に固着させないで保持基材１上に浮き上がらせるようにして立体化させている。固着Ｋは、図１に示した立体表示体Ａの場合と同様に、ホッチキスや接着剤，両面テープなどにより固着することができる。なお、表示シート22におけるプリンタなどによる所定表示の印刷と折り込みラインL8，L9，L10，L11の形成のタイミングは、図１に示した立体表示体Ａの場合と同様である。
【００２６】
次に、立体表示体Ｃでは、表示シート22の折り込みラインL8とL9の間に印刷７を施し、折り込みラインL9とL10の間に別の印刷８を施し、更に、折り込みラインL10とL11の間に他の印刷９を施すことによって、上中下の３段においてそれぞれ知らせたい内容を明瞭にアピールすることができる。勿論、図２の立体表示体Ｂと同様に、印刷７，８，９に、文字の替わりに写真や絵、記号などを印刷したり、後から手書きで直接書き込むようにすることもできる。
【００２７】
上述した本考案の立体表示体Ａ，Ｂ，Ｃは、表示シート２，21，22を保持基材１の片面側に設けた構成であるが、保持基材１の両面側に設ける構成にしてもよい。また、表示シート２，21，22は、その左右の幅が保持基材１と同じで上下の幅が保持基材１より大きいものを用いているが、左右の幅が保持基材１より大きく、上下の幅が保持基材１と同じ表示シートを使用して、折り込みラインを適宜間隔で左右に平行に形成し、表示シートの左右の何れか又は両側を保持基材１に固着する構成にしてもよい。更に、印刷も文字を横表示で印刷するのではなく、縦書き印刷することもできる。
【００２８】
次に、図４により、本考案の他の別の一例の立体表示体Ｄについて説明する。この立体表示体Ｄは、遊技場施設などにおいて使用するもので、大当たりが出たときにその当たりが出た遊技機を周囲の人に積極的に知らせることによりゲーム意欲を促進させるためのものである。
【００２９】
図４において、図１に表示した符号と同一の符号は、同一部材を示している。立体表示体Ｄは、保持基材１の両面側に表示シート23が設けられている。これは当たりが出た遊技機のところに立体表示体Ｄの後部挿込み片1aを挿し込むことにより左右側の人に同時に知らせるようにするためである。
【００３０】
立体表示体Ｄは、保持基材１と表示シート23が分離した状態で遊技場施設に持ち込まれ、その遊技場施設内においてプリンタなどによりキャンペーンに応じた所望の印刷が施された後、折り込みラインL12，L13，L14，L15をそれぞれ折り込むと共に、折り込みラインL12の上部側、及び、折り込みラインL15の下部側を保持基材１に固着ＫTすることにより立体化させることができる。なお、折り込みラインL12の上部側のみを保持基材１に予め固着Kしておき、大当たりが出る前に、折り込みラインL12，L13，L14，L15をそれぞれ折り込むと共に、折り込みラインL15の下部側を保持基材１に固着Ｋすることにより立体化させるようにしてもよい。また、折り込みラインL12の上部側と折り込みラインL15の下部側を予め保持基材１に固着Ｋしておき、大当たりが出たとき、折り込みラインL12，L13，L14，L15を迅速に折り込んで立体化させるようにしてもよい。なお、表示シート23の折り込みラインL13とL14の間にここでは「大当り」の印刷10が施されているが、キャンペーンの内容に応じて他の文字や記号などを表示することもできることは上述の通りである。
【００３１】
また、図５により、本考案の別の他の一例の立体表示体Ｅについて説明する。図１に表示した符号と同一の符号は、同一部材を示している。立体表示体Ｅでは、表示シート24が保持基材１に固着したときの左右側が、保護基材１の両側から突出している構造である。
図５において、L16，L17，L18は、ミシン目による折り込みラインであるが、折り罫にしてもよい。図５に示した立体表示体Ｅは、折り込みラインL16，L17，L18を折り込んだ後、折り込みラインL16の上部側と折り込みラインL18の下部側を保持基材１に固着Ｋし、折り込みラインL17を手前に浮き上がらせるようにして立体化させることができる。固着Ｋは、図１に示した立体表示体Ａの場合と同様に、ホッチキスや接着剤，両面テープなどにより固着することができる。なお、表示シート24におけるプリンタなどによる所定表示の印刷と折り込みラインL16，L17，L18の形成のタイミングは、図１に示した立体表示体Ａの場合と同様である。
【００３２】
更に、立体表示体Ｅでは、図示しないが表示シート24の折り込みラインL16とL17の間に印刷を施し、折り込みラインL17とL18の間に別の印刷を施すことにより、それぞれ知らせたい内容を明瞭にアピールすることができる。勿論、図１〜図４の立体表示体Ａ〜Ｄと同様に、印刷に、文字の替わりに写真や絵、記号などを印刷したり、後から手書きで直接書き込むようにすることもできる。
【００３３】
次に、図６により、本考案の別の他の別例の立体表示体Ｆについて説明する。図１に表示した符号と同一の符号は、同一部材を示している。立体表示体Ｆでは、保持基材１に固着する前の表示シート25は、保持基材１より上下及び左右の幅において大き目のものを使用し、ミシン刃により平面菱形のミシン目を形成すると共に、菱形の各辺に沿って平行にミシン目を形成してそれぞれ折り込みラインL19〜L26にする。
【００３４】
図６に示した立体表示体Ｆは、折り込みラインL19〜L26を折り込んだ後、折り込みラインL19，L21，L23，L25の外側を保持基材１に固着Ｋし、折り込みラインL20，L22，L24，L25で囲まれた部分を手前に浮き上がらせるようにして立体化させることができる。固着Ｋは、図１に示した立体表示体Ａの場合と同様に、ホッチキスや接着剤，両面テープなどにより固着することができる。なお、折り込みラインL20，L22，L24，L25で囲まれた部分をプリンタなどにより所定表示の印刷（図示せず）を施すが、印刷と折り込みラインL19〜L26の形成のタイミングは、図１に示した立体表示体Ａの場合と同様である。
【００３５】
本考案は上述した保持基材の平面形状が矩形状の立体表示体Ａ〜Ｆに限られず、平面形状が円形形状、菱形形状、星形形状、三角形，五角形，六角形などの多角形状の保持基材にしてもよく、また、表示シートも保持基材に対応して様々な平面形状，大きさのものを使用することができる。
【００３６】
また、表示シートに形成する折り込みラインも上下，左右方向に限られず、斜めに形成することもでき、例えば、円形形状の保持基材に、折り込みラインが放射状に形成された表示シートを折り込みラインに沿って折り込んだ後、それらの折り込みラインと中心部を保持基材に固着することにより花が咲いたように立体化させることもできる。
【００３７】
なお、レーザープリンタやインクジェットプリンタによる印刷は、立体表示体の納入先で行うのが望ましいが、予め印刷の内容がわかっている場合は、納入先の要望に応じて表示シートに印刷し、折り込みラインも形成した状態で納入することができる。また、表示シートは、その一部を予め保持基材に固着して表示シートと保持基材が分離しないような状態で納入し、納入した先で折り込みラインに沿って折り込み、所定箇所を保持基材に固着してその場で立体化させることもできる。
【産業上の利用可能性】
【００３８】
本考案の立体表示体は、小売店やスーパーなどの店頭や商品棚における販売促進や宣伝広告、遊技場施設などにおける各種のお知らせによるゲーム意欲の促進、各種公演会における公演内容や演劇会などにおける演劇の内容や会場案内、或いは、試験会場の案内や各種祝賀会の案内などに好適に用いることができ、しかもその特設会場や遊技場施設、キャンペーン会場で簡易に組み立てることができるので、利用価値が高い。
【図面の簡単な説明】
【００３９】
【図１】本考案立体表示体の一例の斜視図。
【図２】本考案立体表示体の他の一例の斜視図。
【図３】本考案立体表示体の別例の斜視図。
【図４】本考案立体表示体の他の別の一例の斜視図。
【図５】本考案立体表示体の別の他の一例の斜視図。
【図６】本考案立体表示体の別の他の別例の斜視図。
【符号の説明】
【００４０】
Ａ，Ｂ，Ｃ，Ｄ，Ｅ，Ｆ      立体表示体
１                          保持基材
1a                          挿込み片
２，21，22，23，24，25      表示シート
３〜10                      印刷
L1〜L26                    折り込みライン
Ｋ                          固着
【図１】
0003142473.tif 000003
【図２】
0003142473.tif 000004
【図３】
0003142473.tif 000005
【図４】
0003142473.tif 000006
【図５】
0003142473.tif 000007
【図６】
0003142473.tif 000008